(57)【特許請求の範囲】
【請求項１】
挿入口内の入口側に挿入口の側壁に直交する方向に第１、第２の２個のセンサを設け、その第１のセンサの位置を、挿入口の一側壁から小型券の媒体の幅の寸法より短い寸法の位置、第２のセンサを、第１のセンサの位置より小型券の媒体の幅の寸法より短い寸法に位置とし、同時にその位置が挿入口の中心より第１のセンサの反対側に出た位置とし、さらに、第３、第４、第５の３個のセンサを上記２個のセンサより装置の奥方向に小型券の媒体の対角線の長さより長い間隔をへだてて側壁に直交する方向に配置し、その第３のセンサの位置を、挿入口の一側壁から小型券の媒体の幅の寸法より短い寸法の位置、第４のセンサを、第３のセンサの位置より小型券の媒体の幅の寸法より短い寸法の位置、第５のセンサを、第４のセンサの位置より小型券の媒体の幅の寸法より短い寸法の位置とし、同時にこの第５のセンサと挿入口の他側壁との間隔が小型券の媒体の幅の寸法以下とし、挿入口から券が挿入されることによって第１および第２のセンサの少なくとも１つがＯＮし、その挿入された券の移動に伴って、第１ないし第２のセンサのすべてがＯＦＦとなり、さらに券の移動に伴って、第３ないし第５のセンサの１つまたは隣り合う２つのセンサがＯＮとなった場合には、小型券の横方向の挿入でないと判定し、幅寄せ具によって小型券の一側を押圧し他側を挿入口の側壁に当接させて整列を行い、第３ないし第５のセンサのすべてがＯＮとなった場合には、小型券の横方向挿入であると判定し、挿入口に券を返却することを特徴とする紙葉媒体取扱装置。
【発明の詳細な説明】
【０００１】
【発明の属する技術分野】
本発明は、乗車券、搭乗券もしくは紙幣等の各種紙葉媒体のサイズの異なる紙葉媒体を共に使用する取扱装置に係り、さらに詳しくは、そのようなサイズの異なる紙葉媒体の挿入方向の検出およびその搬送に関する。
【０００２】
【従来の技術】
例えば、鉄道の乗車券の取扱装置においては、挿入口より挿入される乗車券は、小型券であるエドモンソン券（幅３０ｍｍ×長さ５７．５ｍｍ）と他の大型券（幅５７．５ｍｍ×長さ８５ｍｍ、幅５７．５ｍｍ×長さ１２０ｍｍ）とが区別なく使用される。この場合、小型券の長さと大型券の幅とが同一寸法であり、小型券は横向きにしても挿入口に挿入できてしまう寸法である。
【０００３】
【発明が解決しようとする課題】
このような紙葉媒体の取扱装置において、挿入口の幅は、大型券が挿入できる大型券の幅の寸法になっており、横方向にして挿入することはできない。しかし、縦長の方向に挿入口に挿入するのが一般であり、問題はない。
また、小型券であるエドモンソン券も装置内の処理上、縦長の方向に挿入口に挿入されるものであるが、横方向にして挿入口に挿入されても挿入口はそれを挿入できる寸法である。
【０００４】
しかし、装置の内部処理において、縦長の方向で挿入搬送され、それを読み取るように構成されているために、小型券であるエドモンソン券も挿入口には縦長の方向に挿入されなければならないが、上記の如く、横方向にして挿入口に挿入されることがある。この場合には、返却して入れ替えしてもらわなければならない。
【０００５】
また、縦長に挿入口に挿入されるエドモンソン券は、券の幅より広い幅の挿入口のどの箇所に挿入されても装置内の定位置にある読み取り装置の位置に縦長の状態で確実に案内搬送されなければならない。
そのために、従来の機構は図５に示す如く、読み取り装置や収納部等がある片側に搬送ベルト１を配置しておき、小型券３であるエドモンソン券の挿入口２における挿入位置をその搬送ベルト１側の一側に限定して挿入するようにしているが、その限定位置以外の箇所に挿入すると搬送ベルトがないためにエドモンソン券３は取り込まれないことになる。しかし、それを無理に挿入してジャムさせたりする問題がある。さらには、券の挿入方向や挿入箇所によっては、券が傾いて斜行してしまいそれがジャムの原因となる等の問題がある。
【０００７】
【課題を解決するための手段】
そこで本発明は、挿入口内の入口側に挿入口の側壁に直交する方向に第１、第２の２個のセンサを設け、その第１のセンサの位置を、挿入口の一側壁から小型券の媒体の幅の寸法より短い寸法の位置、第２のセンサを、第１のセンサの位置より小型券の媒体の幅の寸法より短い寸法に位置とし、同時にその位置が挿入口の中心より第１のセンサの反対側に出た位置とし、さらに、第３、第４、第５の３個のセンサを上記２個のセンサより装置の奥方向に小型券の媒体の対角線の長さより長い間隔をへだてて側壁に直交する方向に配置し、その第３のセンサの位置を、挿入口の一側壁から小型券の媒体の幅の寸法より短い寸法の位置、第４のセンサを、第３のセンサの位置より小型券の媒体の幅の寸法より短い寸法の位置、第５のセンサを、第４のセンサの位置より小型券の媒体の幅の寸法より短い寸法の位置とし、同時にこの第５のセンサと挿入口の他側壁との間隔が小型券の媒体の幅の寸法以下とし、挿入口から券が挿入されることによって第１および第２のセンサの少なくとも１つがＯＮし、その挿入された券の移動に伴って、第１ないし第２のセンサのすべてがＯＦＦとなり、さらに券の移動に伴って、第３ないし第５のセンサの１つまたは隣り合う２つのセンサがＯＮとなった場合には、小型券の横方向の挿入でないと判定し、幅寄せ具によって小型券の一側を押圧し他側を挿入口の側壁に当接させて整列を行い、第３ないし第５のセンサのすべてがＯＮとなった場合には、小型券の横方向挿入であると判定し、挿入口に券を返却することを特徴とする。
【０００８】
【発明の実施の形態】
以下に本発明の実施の形態例を図面を用いて説明する。
図１は搬送機構の説明図であり、図において、５は挿入口であり、大型券４の横幅が入る寸法となっている。
６は搬送ベルトであり、挿入口５と図示しない所望の装置内部の片側に走行壁面７に沿って配置してある、例えば読み取り装置、収納部等の所定箇所までの長さがあり、挿入口５側からその所定箇所の方向に媒体を搬送するように駆動している。
【０００９】
この搬送ベルト６は、その挿入口側端は挿入口５の中心に位置し、装置内部側端は内部の走行壁面７の延長上にある基準面８に向けて位置している。そのために挿入口から装置の奥に向けて全長にわたって走行壁面７に対して斜めに配置されていることになる。
さらに、この搬送ベルト６の幅は、挿入口５の任意の一側壁面と搬送ベルト６のその一側壁面に対向する側端との距離Ｒが小型券３の幅Ｗ2 より小さい寸法にしてあり、小型券３を縦方向にして挿入口５のどの位置に挿入した場合にでも小型券３の一部が必ず搬送ベルト６上に載るようにしてある。
【００１０】
９は幅寄せ具であり、搬送ベルト６によって搬送されてきた小型券３の一側を押圧して他側を基準面８に当接させて小型券３を基準面８に沿った正しい状態にさせる。
このようにした搬送機構によると、小型券３を縦方向にして挿入口５のどの位置にでも挿入すると、小型券３はその一部が必ず搬送ベルト６上に載置されて内部に搬送されることになる。
【００１１】
所定箇所まで搬送されると、搬送ベルト６は一端停止し、幅寄せ具９によって小型券３の一側を押圧して他側を基準面８に当接させて小型券３を基準面８に沿った正しい状態で位置させ、読み取り等の後の各種工程に備えることができる。なお、上記幅寄せ具９はその構成によっては搬送ベルト６の停止を待たずして所定位置に移動してもよい。
【００１２】
また、大型券４を挿入口に挿入した場合には、挿入時から大型券４の側部は基準面８に沿って移動することになり、さらに傾斜している搬送ベルト６によって確実に基準面８側に移動させて当接させることができ、読み取り等の後の各種工程に備えることができる。
ところが、小型券３が、縦方向でなく横方向にして挿入口５に挿入されることがある。その場合には、装置内に搬送するとジャムの原因となるために、搬送前に横方向に挿入されたことを検知して挿入口５から排出し、返却して縦方向にして入れ替えてもらわなければならない。
【００１３】
そこで、小型券３が挿入された場合は、その挿入方向を検知しなければならない。以下にその挿入方向の検知機構および検知方法を説明する。
図４は検知機構の説明図である。挿入口５は、その挿入口の幅を使用するすべての媒体である小型券３および大型券４が通過できる寸法Ｓになっている。例えば、上記した大型券４の横の寸法Ｗ1 の５７．５ｍｍが両側に大きな間隔をあけることなく通過できる程度の寸法、本実施の形態例では５８．５ｍｍにしてある。ところが、この大型券４の横の寸法Ｗ1 より小型券３の縦の寸法Ｌ2 が小さいかもしくは等しい場合には小型券３を横方向にして挿入されるおそれがある。
【００１４】
ところが、小型券３を横方向に挿入されると上記したような問題が発生することになる。したがって、上記した如く、大型券４の横の寸法Ｗ1 が小型券３の縦の寸法Ｌ2 より大きいか等しい場合（Ｗ1 ≧Ｌ2 ）、つまり小型券３がエドモンソン券のような場合には問題が発生することになる。そこで、挿入方向の検知機構は下記の如く構成される。
【００１５】
１０、１１はセンサであり、その挿入口５内の入口側の挿入口５の側壁に直交する方向の一直線上に設けてある。さらにこのセンサ１０の配置位置は、挿入口５の一側壁から小型券３の幅の寸法Ｗ2より短い寸法Ｓ1、小型券３がエドモンソン券なら３０ｍｍ以下の位置、また、センサ１１の位置は、そのセンサ１０の位置より小型券３の幅の寸法Ｗ2より短い寸法Ｓ2、エドモンソン券なら３０ｍｍ以下の位置であり、さらに、その位置が挿入口の中心よりセンサ１０の反対側に出た位置となっている。したがって、このセンサ１１と挿入口５の他側壁との間隔は３０ｍｍ以下となる。Ｓ−（Ｓ１＋Ｓ2）＜Ｗ2。
【００１６】
１２、１３、１４はセンサであり、これらは挿入口５の上記センサ１０、１１より装置奥側に挿入口５の側壁に直交する方向の一直線上に設けてある。さらにこれらのセンサ１２、１３、１４は、上記センサ１０、１１より装置の奥方向に小型券３の対角線Ｄ2 より長い間隔Ｄ、本実施の形態例では６５ｍｍをあけて配置されている。
【００１７】
これら３個のセンサ１２、１３、１４の各配置位置は、センサ１２は挿入口５の一側壁から小型券３の幅の寸法Ｗ2より短い寸法Ｓ3、小型券３がエドモンソン券なら３０ｍｍ以下の位置、また、センサ１３の位置は、そのセンサ１２の位置より小型券３の幅の寸法Ｗ2より短い寸法Ｓ4、エドモンソン券なら３０ｍｍ以下の位置、また、センサ１４の位置は、そのセンサ１３の位置より小型券３の幅の寸法Ｗ2より短い寸法Ｓ5、エドモンソン券なら３０ｍｍ以下の位置であり、さらに、このセンサ１４と挿入口５の他側壁との間隔は小型券３の幅の寸法Ｗ2以下の寸法、エドモンソン券なら３０ｍｍ以下とする。Ｓ−（Ｓ3＋Ｓ4＋Ｓ5）＜Ｗ2。
【００１８】
なお、上記各センサ１０、１１、１２、１３、１４は、券が通過したことを検知できるセンサならどのようなものでもよく、本実施の形態例では光センサを用い、光が遮断されたらＯＮとするものを用いた。
以上のようにした５個のセンサ１０、１１、１２、１３、１４の配置構造によると、挿入口５から挿入された小型券３は、その挿入方向が縦方向（長手方向）の正しい挿入であることが、小型券３の横方向（短手方向）の挿入および他の大型券４と区別することができる。
【００１９】
以下に、その判定方法を説明する。
まず、挿入された券により、センサ１０および１１の少なくとも一つがＯＮする。これによって券が挿入されたことが検知される。
つぎに、搬送機構による券の移動に伴って５個のセンサ１０、１１、１２、１３、１４すべてがＯＦＦ状態となる。これによって挿入された券が小型券であって大型券４でないことが判断される。ここで小型券３が斜めの状態で挿入されてもセンサ１０、１１列とセンサ１２、１３、１４列の間隔から５個のすべてのセンサはＯＦＦ状態である。（Ｄ＞Ｄ2 ）
さらに、券の移動に伴ってセンサ１２、１３、１４の内の１つかまたは隣り合う２つのセンサがＯＮすることによって小型券３が横方向の挿入でないことが検知される。横方向の挿入であるとセンサ１２、１３、１４すべてがＯＮする。
【００２０】
このように上記の条件がすべて満たされたときに、挿入口５に挿入された券が小型券３でしかも縦方向もしくは斜めに挿入されたと判定される。
したがって、上記において小型券３でしかも縦方向もしくは斜めに挿入された場合には上記したように券は搬送ベルト６によって搬送され、幅寄せ具９によって小型券３は一側を押圧されて他側を基準面８に当接させて小型券３を基準面８に沿って正しく位置させ、読み取り等の後の各種工程に進むことができる。
【００２１】
ところが、上記において５個のセンサ１０、１１、１２、１３、１４すべてがＯＦＦ状態となった後に、センサ１２、１３、１４すべてがＯＮすると、挿入された券が小型券３でしかも横方向に挿入されたと判断され、搬送ベルト６が逆転してその券は挿入口５に戻されて返却されることになる。
また、大型券４が挿入されたときは５個のセンサ１０、１１、１２、１３、１４すべてがＯＮ状態となり、大型券４と判断されて上記した如く搬送機構によって搬送される。
【００２２】
【発明の効果】
以上詳細に説明した本発明によると、挿入口と内部を結ぶ搬送ベルトの挿入口側端を挿入口の中心に位置させ、内部側端を基準面に向けて位置するように配置したことにより、媒体を挿入口のどの位置から挿入しても確実に内部の基準面に案内することができる効果を有する。
【００２３】
また、挿入口内の所定位置にセンサを配置したことにより、挿入した媒体の区別と媒体の挿入方向の判別を行うことができる効果を有する。
【図面の簡単な説明】
【図１】搬送機構の説明図
【図２】大型券の説明図
【図３】小型券の説明図
【図４】検知機構の説明図
【図５】従来の搬送機構の説明図
【符号の説明】
３  小型券
４  大型券
５  挿入口
６  搬送ベルト
７  走行壁面
８  基準面
９  幅寄せ具
１０、１１  センサ
１２、１３、１４  センサ
【図１】
0004176316.tif 000002
【図２】
0004176316.tif 000003
【図３】
0004176316.tif 000004
【図４】
0004176316.tif 000005
【図５】
0004176316.tif 000006